(57)【要約】【課題】内部に収納スペースが設けられ、使用者にとって使い勝手のよい加熱調理器を提供する。【解決手段】加熱調理器は、箱状の本体と、本体の上部に配設されたトッププレートとを備える。収納室は開口部を有する箱状の部材である。引出は開口部を介して収納室に出し入れ自在に設けられている。引出は、トレイと、引出が収納室に収納された状態で開口部を閉じる扉とを有する。トレイの、引出の出し入れ時に収納室の一対の内側面と対向する一対の側面に、それぞれ第１回転部材と走行部材を設ける。収納室の一対の内側面に、それぞれ第２回転部材と案内部材を設ける。走行部材の、引出の出し入れ方向における両端部のうち扉に近い端部に、扉に近い側から遠い側へ向かって下方向へ傾斜する第１傾斜部を形成する。【選択図】図３
2018173199.tif 000002
【特許請求の範囲】
【請求項１】
箱状の本体と、
前記本体の上部に配設されたトッププレートとを備えた加熱調理器であって、
前記本体の内部に配設され、開口部を有する箱状の収納室であって、前記開口部が前記本体の前面側に位置している収納室と、
前記開口部を介して収納室に出し入れ自在に設けられている引出とを有し、
前記引出は、収納物が載置されるトレイと、前記引出が前記収納室に収納された状態で前記開口部を閉じる扉とを有し、
前記トレイにおいて、前記引出の出し入れ時に前記収納室の一対の内側面と対向する一対の側面に、それぞれ第１回転部材と走行部材が設けられ、
前記収納室において、前記一対の内側面に、それぞれ第２回転部材と案内部材が設けられ、
前記引出の出し入れ時に、前記第１回転部材は従動して回転しながら前記案内部材に案内されて移動し、前記走行部材は、その下面が前記第２回転部材に当接した状態で前記第２回転部材の従動による回転に応じて移動するよう構成されており、
前記走行部材の、前記引出の出し入れ方向における両端部のうち前記扉に近い端部に、前記扉に近い側から遠い側へ向かって下方向へ傾斜する第１傾斜部が形成されている加熱調理器。
【請求項２】
前記第１傾斜部は、第１傾斜面と前記第１傾斜面と連続している連結部とを有し、
前記連結部は、前記第１傾斜面よりも前記扉に近い位置に形成され、かつ、前記連結部の傾斜角度は前記第１傾斜面の傾斜角度より小さい請求項１に記載の加熱調理器。
【請求項３】
前記走行部材には、前記第１傾斜部よりも前記扉に近い位置に、前記扉に近い側から遠い側へ向かって下方向へ傾斜している第２傾斜部が形成されている請求項１又は２に記載の加熱調理器。
【請求項４】
前記第１傾斜部の前記連結部と前記第２傾斜部との間に段差が形成されており、前記段差は、前記扉に近い側から遠い側へ向かって下方向へ傾斜しており、前記第２傾斜部が前記連結部より上方に位置している請求項１〜３のいずれか一項に記載の加熱調理器。
【請求項５】
前記第２傾斜部の傾斜角度は、前記第１傾斜部の前記第１傾斜面よりも大きい請求項３に記載の加熱調理器。
【請求項６】
前記第２傾斜部の傾斜角度は、前記第１傾斜部の前記第１傾斜面と同一である請求項３に記載の加熱調理器。
【請求項７】
前記連結部は水平方向に延びるよう形成されている請求項２〜６のいずれか一項に記載の加熱調理器。
【請求項８】
前記トレイと前記走行部材は、樹脂材料で一体成形されている請求項１〜７のいずれか一項に記載の加熱調理器。
【請求項９】
前記トレイの前記一対の側面のうち前記加熱調理器の一方の側面に近い側に位置する側面と前記扉とのコーナーに、前記トレイの外方に向かってに突出する突起部が形成されている請求項１〜８のいずれか一項に記載の加熱調理器。
【請求項１０】
前記トレイの前記一対の側面のそれぞれと前記扉とのコーナーに、前記トレイの外方に向かって突出する一対の突起部が形成されている請求項１〜８のいずれか一項に記載の加熱調理器。
【請求項１１】
前記突起部において外方への突出量が最も大きい部分と前記一対の側面のうち前記突起部が形成されていない側面とを結ぶ線分の長さは、前記収納室の前記開口部において前記引出の出し入れ方向と直交する方向の長さよりも小さい請求項９に記載の加熱調理器。
【請求項１２】
前記一対の突起部において外方への突出量が最も大きい部分を結ぶ線分の長さは、前記収納室の前記開口部において前記引出の出し入れ方向と直交する方向の長さよりも小さい請求項１０に記載の加熱調理器。
【請求項１３】
前記走行部材は、前記トレイが前記収納室から最大限引き出された状態において前記収納室の前記第２回転部材と当接するストッパと、前記ストッパよりも前記扉に近い位置に形成され、下方に突出する凸部とを有する請求項１〜１２のいずれか一項に記載の加熱調理器。
【請求項１４】
前記引出が最大限に引き出されたとき、第１回転部材の外周面の一部が前記凸部及び前記ストッパに対向するよう、前記凸部と前記ストッパとの間隔が設定されている請求項１３に記載の加熱調理器。
【発明の詳細な説明】
【技術分野】
【０００１】
本発明は、トッププレートに被加熱物を載置して加熱する加熱調理器に関する。
【背景技術】
【０００２】
従来、加熱調理器は本体と本体の上面に配設された天板とを有している。そして、加熱手段として、天板の下部に配設された加熱コイルと、本体内部に収容されたグリル庫とを有している。本体の前面においてグリル庫の開口部にはグリル扉が配設されている。グリル扉はグリル庫の開口部に対して開閉自在に取り付けられている（例えば、特許文献１及び特許文献２）。
【先行技術文献】
【特許文献】
【０００３】
【特許文献１】特開２０１５−１５５７７８号公報
【特許文献２】特開２００６−２１０１４６号公報
【発明の概要】
【発明が解決しようとする課題】
【０００４】
グリル庫は本体内部に収容されているため、グリル庫の内部全体を清掃するのは困難である。そのため、調理後のグリル庫の手入れが使用者の負担になっており、近年ではグリル庫を使用した調理は敬遠される傾向がある。そこで、加熱調理器の本体内部のスペースを有効活用するため、グリル庫を収納スペースとすることが考えられる。しかしながら、加熱調理器は被加熱物を加熱するためのものであり、収納の機能性を考慮した設計とはなっていない。そのため、収納スペースを設けても使用者にとって利便性が向上しない可能性がある。
【０００５】
本発明は、上述のような課題を背景としてなされたものであり、内部に収納スペースが設けられ、使用者にとって使い勝手のよい加熱調理器を提供することを目的としている。
【課題を解決するための手段】
【０００６】
本発明に係る加熱調理器は、箱状の本体と、前記本体の上部に配設されたトッププレートとを備えた加熱調理器であって、前記本体の内部に配設され、開口部を有する箱状の収納室であって、前記開口部が前記本体の前面側に位置している収納室と、前記開口部を介して収納室に出し入れ自在に設けられている引出とを有し、前記引出は、収納物が載置されるトレイと、前記引出が前記収納室に収納された状態で前記開口部を閉じる扉とを有し、前記トレイにおいて、前記引出の出し入れ時に前記収納室の一対の内側面と対向する一対の側面に、それぞれ第１回転部材と走行部材が設けられ、前記収納室において、前記一対の内側面に、それぞれ第２回転部材と案内部材が設けられ、前記引出の出し入れ時に、前記第１回転部材は従動して回転しながら前記案内部材に案内されて移動し、前記走行部材は、その下面が前記第２回転部材に当接した状態で前記第２回転部材の従動による回転に応じて移動するよう構成されており、前記走行部材の、前記引出の出し入れ方向における両端部のうち前記扉に近い端部に、前記扉に近い側から遠い側へ向かって下方向へ傾斜する第１傾斜部が形成されている。
【発明の効果】
【０００７】
本発明によれば、トレイの側面の走行部材に扉に近い端部側から遠い側へ向かって下方向へ傾斜する第１傾斜部を形成したことにより、扉が閉まる直前に使用者が扉から手を離しても、引出の自重によりトレイは収納室に引き込まれ、扉は閉じるので、トレイを収納室に引き込むバネや磁石のような構成が不要となる。
【図面の簡単な説明】
【０００８】
【図１】本発明の実施の形態に係る加熱調理器の斜視図である。
【図２】本発明の実施の形態に係る加熱調理器の分解斜視図である。
【図３】本発明の実施の形態に係る加熱調理器の引出の斜視図である。
【図４】走行部材の一部を拡大して示す図である。
【図５】引出が収納室に完全に収納され、引出の扉が閉じた状態を側方から示す図である。
【図６】引出の扉が開いた位置から閉じた位置へ引出が移行する過程における一段階の状態を側方から示す図である。
【図７】引出の扉が開いた位置から閉じた位置へ引出が移行する過程における一段階の状態を側方から示す図である。
【図８】引出の扉が開いた位置から閉じた位置へ引出が移行する過程における一段階の状態を側方から示す図である。
【図９】引出が収納室から最大限に引き出された位置にある状態を側方から示す図である。
【図１０】走行部材の一部を拡大して示す図である。
【図１１】本発明の実施の形態に係る加熱調理器の引出の平面図である。
【図１２】本発明の実施の形態に係る加熱調理器とキッチンカウンタとを示す斜視図である。
【図１３】本発明の実施の形態に係る加熱調理器がキッチンカウンタに設置された状態を示す斜視図である。
【図１４】キッチンカウンタに設置された加熱調理器の引出が最大限に引き出された状態を示す断面図である。
【図１５】キッチンカウンタに設置された加熱調理器の引出の扉が収納室の開口部の近傍に位置づけられた状態を示す断面図である。
【図１６】キッチンカウンタに設置された加熱調理器の引出の扉が閉じている状態を示す断面図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ、形状は、説明のためにわかりやすく表しており、実際の大きさ、形状と異なる場合がある。
【００１０】
実施の形態．
図１は、本発明の実施の形態に係る加熱調理器の斜視図である。図２は、本発明の実施の形態に係る加熱調理器の分解斜視図である。本明細書では、加熱調理器においてユーザが調理をする際に立つ側を前方、ユーザから遠い側を後方とする。また、本明細書において、左右とは、加熱調理器を前方から見た場合の左右を指すものとする。加熱調理器１は、本体１０とトッププレート２０と前面パネル３０とを有している。本体１０は箱状の部材であり、上面に開口部１０Ａが形成されている。トッププレート２０は、本体１０の上部の開口部１０Ａに配設されている。トッププレート２０の下部には加熱コイル４１及び加熱コイル４２が配設されている。加熱コイル４１と加熱コイル４２は上下仕切り板５０に載置されている。前面パネル３０は、本体１０の前面において右側に配設されている。本体１０の内部において左側には収納室６０が設けられている。収納室６０は箱状の部材であり、開口部６０Ａが設けられている。収納室６０は、開口部６０Ａが加熱調理器１の本体１０の前面側に位置するよう配置されている。
【００１１】
引出７０は開口部６０Ａを介して収納室６０に出し入れ自在の部材であり、収納物が載置されるトレイ７１と扉８０とを有している。トレイ７１の上部は開放されている。トレイ７１の側面７１Ａと側面７１Ｂは、長手方向に延びる一対の側面であり、引出７０の出し入れ時に収納室６０の内側面と対向する。扉８０は側面７１Ａ及び側面７１Ｂと交差するよう取り付けられている。図１に示すように、引出７０が収納室６０に収納された状態で開口部６０Ａを閉じ、前面パネル３０と並置されるよう、扉８０は引出７０に取り付けられている。扉８０の下部には把手８１が設けられている。
【００１２】
収納室６０の内側面６０Ｂは、引出７０の出し入れ時に、トレイ７１の側面７１Ｂと対向する内側面である。収納室６０において、内側面６０Ｂには、回転部材６１と案内部材６２が設けられている。内側面６０Ｂと平行の内側面、すなわち引出７０の出し入れ時に、トレイ７１の側面７１Ａと対向する内側面にも、回転部材６１と同様の図９に示す回転部材６３と、案内部材６２が設けられている。案内部材６２は、図９に示すように、収納室６０の左右の内側面に、前後にわたり設けられ、後述する回転部材７２の上下に近接して平行に位置する２本のレールである。回転部材７２と案内部材６２とにより、トレイ７１の後部の位置が上下方向に規制される。また、案内部材６２の後部は、２本のレールの上下の間隔を保ったまま下方に傾斜するよう構成される。収納室６０の回転部材と案内部材については後述する。回転部材６１及び側面７１Ａと対向する内側面の回転部材６３は、本発明の第２回転部材である。また、本体１０の内部において右側には、加熱調理器１を制御する制御基板、冷却ファンが配設されている。
【００１３】
図３は、本発明の実施の形態に係る加熱調理器の引出の斜視図である。トレイ７１の側面７１Ａにおいて、扉８０が設けられている端部とは反対側の端部に、回転部材７２が配設されている。回転部材７２は、引出７０が収納室６０から最大限に引き出されたとき、開口部６０Ａに最も近づく位置に配設されている。本明細書において、引出７０が収納室６０から最大限に引き出された位置とは、引出７０がさらに収納室６０の外方へ引き出されると、収納室６０から離脱する位置である。回転部材７２は円盤状の部材であり、中心軸周りに回転自在に側面７１Ａに設けられている。また、側面７１Ａには、トレイ７１の長手方向に沿って延びる板状の走行部材７３が形成されている。トレイ７１と走行部材７３は、樹脂材料で一体成形されている。トレイ７１の側面７１Ｂにおいても、回転部材７２と同様の回転部材、及び走行部材７３と同様の走行部材が配設されている。回転部材７２及び側面７１Ｂの回転部材は本発明の第１回転部材である。尚、以降の説明では、側面７１Ａ及び側面７１Ｂの回転部材と走行部材を、回転部材７２、走行部材７３として総称する場合がある。後述するように、走行部材７３は長手方向に沿って水平に延びるレールであり、扉８０側の前端付近には、長手方向に沿って傾斜する引込部７３０が形成される。扉８０の裏面において、側面７１Ａ側の縁部の上端部に緩衝材８３が配設され、下端部に緩衝材８４が配設されている。尚、扉８０の裏面において、側面７１Ｂ側の縁部にも、同様に緩衝材が配設されている。
【００１４】
引出７０が収納室６０に取り付けられた状態において、トレイ７１の側面７１Ｂの走行部材７３の下面が収納室６０の内側面６０Ｂの回転部材６１（第２回転部材）に当接し、側面７１Ｂの回転部材７２（第１回転部材）が、収納室６０の内側面６０Ｂの案内部材６２の上下の一方のレールに当接している。同様に、トレイ７１の側面７１Ａの走行部材７３の下面が収納室６０の内側面６０Ｂと平行な内側面の回転部材６３（第２回転部材）に当接し、側面７１Ａの回転部材７２（第１回転部材）が、同内側面の案内部材６２に当接している。引出７０が収納室６０に出し入れされるとき、収納室６０側の回転部材６１、６３が従動する回転に応じてトレイ７１側の走行部材７３は移動し、トレイ７１側の回転部材７２は従動して回転しながら収納室６０側の案内部材６２に案内されて移動する。後述するように、トレイ７１側の走行部材７３の下面が収納室側の回転部材６１、６３に当接しているため、走行部材７３の下面が後方に向かうにつれて下方に傾斜するところでは、引出７０の自重により、トレイ７１側の走行部材７３は後方へ付勢されている。
【００１５】
走行部材７３は、引込部７３０を有している。引込部７３０は、走行部材７３の長手方向の両端部のうち、扉８０に近い側の端部に形成されている。トレイ７１が収納室６０の内に収納されたとき、引込部７３０は、収納室６０の開口部６０Ａに最も近づく。
【００１６】
また、走行部材７３は、ストッパ７３４と凸部７３５とを有している。ストッパ７３４及び凸部７３５は、走行部材７３の長手方向の両端部のうち、扉８０から遠い側の端部に設けられている。トレイ７１が収納室６０から完全に引き出されたとき、ストッパ７３４及び凸部７３５は、収納室６０の開口部６０Ａに最も近づく。
【００１７】
図４は、走行部材の一部を拡大して示す図である。図４は走行部材７３の引込部７３０を側方から示している。引込部７３０は、第１傾斜部７３１と第２傾斜部７３２と段差７３３とを有している。第１傾斜部７３１は傾斜面７３１Ａ（第１傾斜面）とこの傾斜面７３１Ａと連続している連結部７３１Ｂとを有している。第１傾斜部７３１の傾斜面７３１Ａは、引込部７３０において扉８０から最も遠い位置に形成されている。そして、扉８０へ近づく方向において、第１傾斜部７３１の傾斜面７３１Ａ、連結部７３１Ｂ、段差７３３、第２傾斜部７３２の順に形成されており、これらは連続して形成されている。
【００１８】
第２傾斜部７３２が、第１傾斜部７３１の連結部７３１Ｂ及び第２傾斜部７３２よりも上方に位置するように、連結部７３１Ｂと第２傾斜部７３２は段差７３３で接続されている。傾斜面７３１Ａ、連結部７３１Ｂ、第２傾斜部７３２、及び段差７３３は、扉８０に近い側から遠い側へ向かって下方向へ傾斜している。換言すると、引込部７３０の各部分は、走行部材７３の下面が収納室６０の上述の回転部材６１、６３に当接した状態で、回転部材６１、６３の回転に応じて、引出７０が収納室６０の内部へ引き込まれる方向に傾斜している。連結部７３１Ｂの傾斜角度は、傾斜面７３１Ａの傾斜角度よりも小さく、水平に近い角度である。第２傾斜部７３２は、傾斜面７３１Ａの傾斜角度よりも大きい角度で傾斜している。
【００１９】
尚、トレイ７１の側面７１Ｂに配設されている走行部材も、上述の走行部材７３の引込部７３０と同様の引込部が形成されている。
【００２０】
図５は、引出が収納室に完全に収納され、引出の扉が閉じた状態を側方から示す図である。図６は、引出の扉が開いた位置から閉じた位置へ引出が移行する過程における一段階の状態を側方から示す図である。図７は、引出の扉が開いた位置から閉じた位置へ引出が移行する過程における一段階の状態を側方から示す図である。図８は、引出の扉が開いた位置から閉じた位置へ引出が移行する過程における一段階の状態を側方から示す図である。図５〜図８を参照しながら、引出７０が自重により収納室６０内へ引き込まれる過程を説明する。引出７０を閉める動作において、走行部材７３の傾斜面７３１Ａが回転部材６３に差し掛かると、引出７０の自重により、回転部材６３は図６において時計回りに従動して回転し、それに応じて引出７０は、収納室６０の内方へ向かって引き込まれる。次いで、図８に示すように、走行部材７３の連結部７３１Ｂが回転部材６３に差し掛かると、連結部７３１Ｂの傾斜角度が傾斜面７３１Ａの傾斜角度よりも小さいので、引出７０が収納室６０の内方へ引き込まれる力は弱まり、引出７０が収納室６０の内方へ移動する速度は低下する。しかしながら、引出７０の自重は継続して回転部材６３に付勢力が与えているため、回転部材６３の図８における時計回りの回転により、走行部材７３は回転部材６３を乗り越える。次いで、第２傾斜部７３２が回転部材６３に差し掛かると、回転部材６３の図５における時計回りの従動による回転により、引出７０は収納室６０の内方へさらに引き込まれる。そして、図５に示すように、引出７０は収納室６０に完全に収納されて停止し、収納室６０の開口部６０Ａは扉８０により閉じられる。そして、扉８０が閉じると、収納室６０の回転部材６３は段差７３３に対して第２傾斜部７３２の側に位置している。すなわち、扉８０が閉まると、回転部材６３は段差７３３に係合した状態になる。
【００２１】
尚、引出７０が自重により収納室６０に引き込まれるとき、側面７１Ｂに設けられた走行部材と図２に示す収納室６０の内側面６０Ｂの回転部材６１においても、上述と同様の動作が行われる。扉８０が開口部６０Ａを閉じる直前に、トレイ７１の両側面に配置される回転部材６１、６３が、走行部材７３の引込部７３０の下面にさしかかるとき、回転部材７２（第１回転部材）が当接する案内部材６２の後部の位置では、上下方向の間隔を保ったまま、引込部７３０の傾斜角度と略等しくなるように、下に傾斜するように構成される。走行部材７３のレールが水平な部分に回転部材７２（第１回転部材）が当接するとき、トレイ７１は水平の姿勢を保ったまま前後方向に移動する。また、回転部材６１、６３が走行部材７３の引込部７３０の下面にさしかかるときも、トレイ７１は水平の姿勢を保ったまま前後方向に移動するとともに、わずかに上下方向にも移動する。
【００２２】
以上のように、本実施の形態においては、走行部材７３の扉８０に近い側の端部に第１傾斜部７３１が形成されている。従って、引出７０を収納室６０へ収納し、扉８０を閉めようとするとき、扉８０が閉まる直前に使用者が途中で扉８０から手を離しても、引出７０はその自重により収納室６０へ引き込まれ、扉８０は閉まるので、トレイ７１を収納室６０に引き込むバネや磁石のような構成が不要となる。
【００２３】
本実施の形態によれば、連結部７３１Ｂの傾斜角度は、傾斜面７３１Ａの傾斜角度よりも小さい。従って、引出７０が収納室６０へ引き込まれるときの上下方向における位置の落差を抑えることができる。その結果、トレイ７１と収納室６０で形成される収納スペースにおけるデッドスペースを減らすことができる。
【００２４】
引出７０が自重で収納室６０の内部へ引き込まれて扉８０が閉まるとき、扉８０は加熱調理器１の本体１０に衝突し、その衝撃で扉８０には収納室６０の外方へ押し戻される力が作用する。しかしながら、本実施の形態によれば、扉８０が閉まると、回転部材６３は段差７３３に係合した状態になる。従って、扉８０が跳ねて飛び出すことが防止される。また、使用者が強い力で扉８０を閉める場合も、扉８０が跳ねて飛び出すことが防止される。
【００２５】
また、扉８０が閉まった状態で、回転部材６３が段差７３３に係合しているため、扉８０のがたつきが抑制される。
【００２６】
本実施の形態において、連結部７３１Ｂの傾斜角度は、傾斜面７３１Ａの傾斜角度よりも小さく形成されているが、連結部７３１Ｂを水平方向に延びるよう形成してもよい。尚、この場合でも、引出７０の重心は、回転部材６３よりも扉８０から遠い位置にあるため、引出７０の自重が引き込み方向に作用する。
【００２７】
本実施の形態において、第２傾斜部７３２は傾斜面７３１Ａよりも大きい角度で傾斜しているが、これに限るものではない。傾斜面７３１Ａと第２傾斜部７３２は、同一の角度で傾斜していてもよい。
【００２８】
図９は、引出が収納室から最大限に引き出された位置にある状態を側方から示す図である。構成を明示するため、図９において一部の部材は線分で示されている。図９中、回転部材６３は、上述した収納室６０の内側面６０Ｂと平行の内側面に形成された部材である。引出７０が収納室６０から最大限に引き出されると、ストッパ７３４は回転部材６３に当接する。
【００２９】
図１０は、走行部材の一部を拡大して示す図である。図１０において、引出７０は上述の収納室６０から最大限に引き出された位置にある。回転部材６３は、ストッパ７３４に当接している。従って、通常の外力を引出７０に加え、さらに収納室６０の外方へ、すなわち図１０中の左側へ引き出そうとしても、引出７０を引き出すことはできない。凸部７３５は、走行部材７３の下面から下方向に突出している。凸部７３５は、走行部材７３においてストッパ７３４よりも上述の扉８０に近い位置に形成されている。引出７０が最大限に引き出されたとき、回転部材６３の外周面の一部が凸部７３５及びストッパ７３４に対向するよう、凸部７３５とストッパ７３４との間隔は設定されている。凸部７３５が回転部材６３を乗り越えると、引出７０が収納室６０から最大限に引き出された位置に位置づけられる。
【００３０】
本実施の形態において、凸部７３５の突出量は、回転部材６３の半径の１／４以下となるよう抑えられている。また、凸部７３５の突出量は、回転部材６３の走行部材７３との接触点から３０度の角度を振った回転部材６３の円周上の点までの高さより小さくなるよう抑えられている。すなわち、凸部７３５の突出量は、回転部材６１３半径×ｃｏｓ３０°以下に抑えられている。これにより、凸部７３５の突出量が大きくなりすぎず、トレイ７１の移動を妨げることが回避される。
【００３１】
図１０中、線Ｌ２は、凸部７３５の前後方向における中心線である。凸部７３５の前後方向、すなわち引出７０の出し入れ方向における中心は、回転部材６３がストッパ７３４に当接した状態で、回転部材６３の外周面の前端よりも回転部材６３の内方側に位置している。また、凸部７３５の前後方向における中心は、回転部材６３がストッパ７３４に当接した状態で、線Ｌ１と回転部材６１の接点Ｐよりも、回転部材７２から離れた位置に位置している。
【００３２】
本実施の形態によれば、引出７０が収納室６０から最大限に引き出されると、凸部７３５により引出７０の前後方向の位置は維持される。従って、引出７０を収納室６０から最大限に引き出した状態で、使用者は収納物の出し入れを楽に行うことができる。
【００３３】
一方、凸部７３５の突出量は上述の条件で設定されている。従って、引出７０が収納室６０から最大限に引き出された状態において、引出７０を所定の力で押せば、凸部７３５は回転部材６３を容易に乗り越えて走行部材７３が移動し、引出７０を収納室６０へ収納することができる。また、引出７０が収納室６０から最大限に引き出された状態において、使用者が引出７０にぶつかっても、凸部７３５は回転部材６３を容易に乗り越えて走行部材７３が移動するため、使用者が怪我をする可能性を低くすることができる。
【００３４】
本実施の形態において、引込部、ストッパ、及び凸部が形成されている走行部材とトレイは樹脂材料で一体成形されている。従って、部品点数を増加させることなく、引込部による上述の効果、並びにストッパ及び凸部による上述の効果を得ることができ、経済的である。
【００３５】
図１１は、引出７０の平面図である。図を簡略化するために、図１１において一部の部材は省略されている。トレイ７１の一対の側面のうち側面７１Ｂの外周面と扉８０とが交差するコーナーには、突起部７４が配設されている。側面７１Ｂは、トレイ７１の一対の側面のうち加熱調理器１の一方の内側面６０Ｂに近い側に位置する側面、換言すると、トレイ７１の一対の側面のうち加熱調理器１の一方の内側面６０Ｂに対向する側面である。
トレイ７１の一対の側面のうち側面７１Ａの外周面と扉８０とが交差するコーナーには、突起部７５が配設されている。換言すると、突起部７４及び突起部７５は、トレイ７１の短手方向において、外方へ突出している。突起部７４及び突起部７５は、外方への突出量が扉８０に近づくにつれ次第に大きくなるよう、成形されている。突起部７４において外方への突出量が最も大きい部分と突起部７５において外方への突出量が最も大きい部分とを結ぶ線分の長さが、収納室６０の開口部６０Ａの横方向の長さよりも短くなるよう、突起部７４及び突起部７５の突出量は設定されている。
【００３６】
突起部７４及び突起部７５により、扉８０が閉じた状態で、扉８０が左右方向にずれる量を抑制できる。その結果、扉８０の右端と前面パネル３０の左端との隙間が大きくなることが抑制でき、加熱調理器１の前面側の意匠性が良好に保たれる。
【００３７】
尚、トレイ７１の一対の側面のうち、加熱調理器１の外方側の側面７１Ｂの外周面と扉８０とが交差するコーナーにのみ突起部７４を形成する構成としてもよい。突起部７４において、外方への突出量が最も大きい部分と、一対の側面のうち突起部７４が形成されていない側面とを結ぶ線分の長さは、収納室６０の開口部６０Ａにおいて引出７０の出し入れ方向と直交する方向の長さよりも小さい。この場合、扉８０が閉じたとき、扉８０がずれて加熱調理器１の外方にはみ出すことを防止しつつ、部品点数を減少することができる。
【００３８】
図１２は、本発明の実施の形態に係る加熱調理器とキッチンカウンタとを示す斜視図である。図１３は、本発明の実施の形態に係る加熱調理器がキッチンカウンタに設置された状態を示す斜視図である。本実施の形態の加熱調理器１は、図１２中の矢印で示す方向からキッチンカウンタ１００の収容スペース１０１に差し入れられ、図１３に示すように、キッチンカウンタ１００に設置される。
【００３９】
図１４は、キッチンカウンタに設置された加熱調理器の引出が最大限に引き出された状態を示す断面図である。図１５は、キッチンカウンタに設置された加熱調理器の引出の扉が収納室の開口部の近傍に位置づけられた状態を示す断面図である。図１６は、キッチンカウンタに設置された加熱調理器の引出の扉が閉じている状態を示す断面図である。図１４に示す、引出７０が収納室６０から最大限に引き出されると、上述のように、凸部７３５により引出７０の前後方向の位置は維持される。従って、キッチンカウンタ１００で調理をしている使用者が、トレイ７１に対して収納物を出し入れする際、不用意に扉８０が閉まることがなく、利便性が高まる。また、使用者がトレイ７１を図１５に示す位置まで移動させると、トレイ７１は、使用者が手を離しても、上述のように収納室６０内に引き込まれ、図１６に示すように、収納室６０内に完全に収納され、扉８０は図１６に示す閉じた状態となる。そして、図１６から明らかなように、扉８０が閉じた状態において、扉８０はキッチンカウンタ１００の前側の端面よりも内方に位置している。従って、キッチンカウンタ１００の使用者が加熱調理器１で調理中であっても、油、水分、調理中の食材等が収納室６０の内部に混入することが防止される。
【符号の説明】
【００４０】
１  加熱調理器、１０  本体、１０Ａ  開口部、２０  トッププレート、３０  前面パネル、４１  加熱コイル、４２  加熱コイル、５０  上下仕切り板、６０  収納室、６０Ａ  開口部、６０Ｂ  内側面、６１  回転部材、６２  案内部材、６３  回転部材、７０  引出、７１  トレイ、７１Ａ  側面、７１Ｂ  側面、７２  回転部材、７３  走行部材、７４  突起部、７５  突起部、８０  扉、８１  把手、８３  緩衝材、８４  緩衝材、１００  キッチンカウンタ、１０１  収容スペース、７３０  引込部、７３１  第１傾斜部、７３１Ａ  傾斜面、７３１Ｂ  連結部、７３２  第２傾斜部、７３３  段差、７３４  ストッパ、７３５  凸部、Ｌ１  線、Ｌ２  線、Ｐ  接点。
【図１】
2018173199.tif 000003
【図２】
2018173199.tif 000004
【図３】
2018173199.tif 000005
【図４】
2018173199.tif 000006
【図５】
2018173199.tif 000007
【図６】
2018173199.tif 000008
【図７】
2018173199.tif 000009
【図８】
2018173199.tif 000010
【図９】
2018173199.tif 000011
【図１０】
2018173199.tif 000012
【図１１】
2018173199.tif 000013
【図１２】
2018173199.tif 000014
【図１３】
2018173199.tif 000015
【図１４】
2018173199.tif 000016
【図１５】
2018173199.tif 000017
【図１６】
2018173199.tif 000018